(57)【要約】【課題】  着脱可能なメモリーカードを使用する撮像装置において、メモリーカード収納用の蓋を開閉動作時もしくは本体把持時において本体へ傷をつけたり、使用者の爪が損傷することがあった。【解決手段】  本発明の撮像装置は、画像を記録するための記録媒体と、記録媒体が着脱可能な着脱部と、着脱部の開口部を覆う蓋部を備え、蓋部と撮像装置本体とが隣接する部分に各々凹部を形成する。また変倍操作を行う操作部材を有し、操作部材の操作方向の略延長線上に撮像装置本体の凹部と蓋部の凹部を設ける。【選択図】  図１０
2007173945.tif 000002
【特許請求の範囲】
【請求項１】
画像を記録するための記録媒体と、前記記録媒体が着脱可能な着脱部と、前記着脱部の開口部を覆う蓋部を備えた撮像装置であって、前記蓋部と撮像装置本体とが隣接する部分に各々凹部を形成したことを特徴とする撮像装置。
【請求項２】
前記撮像装置はさらに変倍操作を行う操作部材を有し、該操作部材の操作方向の略延長線上に前記撮像装置本体の凹部と蓋部の凹部を設けることを特徴とする請求項１に記載の撮像装置。
【請求項３】
前記撮像装置本体の凹部と蓋部の凹部にて形成される空間には少なくともΦ２．５ｍｍの球が収納できることを特徴とする請求項１に記載の撮像装置。
【発明の詳細な説明】
【技術分野】
【０００１】
本発明は撮像装置に関し、特に着脱可能な情報記録用メモリーカードを使用する撮像装置に関するものである。
【背景技術】
【０００２】
近年、デジタルカメラやビデオカメラのような撮像装置は小形軽量化ならびに高機能化が進み、大きな進歩を遂げている。これに伴って、画像データ及び音楽などを含むさまざまな大容量情報を保存し、本体に取り込むにあたり大容量の記録媒体が必要となる。
【０００３】
一方で、撮像装置は小形軽量化の要請が強いうえに、デザイン的にも制約があり、内蔵の回路基板や回路要素も出きるだけ簡潔かつ小形に形成する必要がある。そのため、内蔵する記録媒体に関しても自ら限界がある。そこで、目的・用途等にあわせて装着・取り外しが容易な形式の、例えばメモリーカードのような着脱可能な記憶手段が広く使用される。この種の着脱可能なメモリーカードは、多くの利用者にとって着脱操作が迅速かつ確実に行える必要があるが、小形化された機器ケース全体の容積上ならびに外形デザイン上の制約から、適切な構造を得ることは容易ではない。
【０００４】
図１１、図１２、図１３、図１４に従来の撮像装置を示す。図１１は収納されたメモリーカードを覆うための蓋を閉じた状態の斜視図であり、本体１の側面に蓋２０が取り付いている。図１２は蓋２０が開いた状態の状態の斜視図であり、本体１には凹部１１が形成されている。図１３は蓋２０収納時の断面図である。蓋２０の大部分は凹部１１に収納され、蓋２０の上部に形成された凹部２１の周囲の袋形状が本体１の面から突出して収納されている。凹部２１は蓋２０をあける時、爪をかける為に必要な形状である。図１４は蓋２０を開いた時の断面図であり、本体１の蓋２０収納部には凹形状１１が形成されメモリーカード４０が一部突出している。
【０００５】
また、使用者が撮影中に操作するレバーやボタンは利便性を考慮し、使用者が本体を把持した際に指で操作可能な位置に配置されているが、昨今の小型化の要請から、各操作部が狭い間隔で配置されている。図１５、図１６、図１７に従来の撮像装置を示す。図１５で側面上部には静止画のトリガーボタン３１、撮影時のＺＯＯＭ操作レバー３０、撮影モード切り替えスイッチ３２、３３が並んでいる。図１６でＺＯＯＭレバー３０を操作時の把持状態を示す。把持状態で人指し指６０（以下指６０）が容易に掛かる位置にＺＯＯＭレバー３０が配置されている。
【０００６】
また、特許文献１のように、メモリカード用蓋を設けたデジタルカメラがあった。
【特許文献１】特開平１１−１７９８７号公報
【発明の開示】
【発明が解決しようとする課題】
【０００７】
しかしながら、図１１〜図１４のような構成では、図１３において凹部２１が小さく、爪を使わなければ蓋２０を開けることが困難であり、爪にマニュキュアや、人工爪を貼り付けている使用者は爪への傷、人工爪の剥がれなどの不安があった。
【０００８】
また、撮影時において、ＺＯＯＭを不用意に動かして被写体の大きさを変化させないように使用者は図１７のように、ＺＯＯＭレバー３０から指６０を離す必要がある。しかしＺＯＯＭレバー３０から指６０を離すが指６０のみ本体から離して把持しつづけることは困難である。
【０００９】
さらに、ＺＯＯＭレバー３０の近傍にはトリガーボタン３１、撮影切り替えスイッチ３２，３３が配置されており、それらに不用意に指を置くと、使用者が意図しないのにそれらを操作してしまう恐れがある。そこで使用者は本体１の側面へ指６０を当てた状態にて撮影を続けることにならざるをえない。図１８に図１７の指６０近傍における断面図を示す。本体１を安定して把持しようとすると指６０に力が入り、爪による本体１への傷、また逆に爪への損傷の可能性があり、使用者に不安を与えていた。
【課題を解決するための手段】
【００１０】
本発明の撮像装置は、画像を記録するための記録媒体と、前記記録媒体が着脱可能な着脱部と、前記着脱部の開口部を覆う蓋部を備え、前記蓋部と撮像装置本体とが隣接する部分に各々凹部を形成したことを特徴としている。
【００１１】
また、本発明の他の特徴とするところは、さらに変倍操作を行う操作部材を有し、該操作部材の操作方向の略延長線上に前記撮像装置本体の凹部と蓋部の凹部を設けることを特徴としている。
【００１２】
また、本発明のその他の特徴とするところは、撮像装置本体の凹部と蓋部の凹部にて形成される空間には少なくともΦ２．５ｍｍの球が収納できることを特徴としている。
【発明の効果】
【００１３】
以上説明したように本発明によれば、メモリーカード収納用の蓋の開閉動作時、もしくは本体把持時において本体への傷や使用者の爪への損傷を防ぐことができる。
【発明を実施するための最良の形態】
【００１４】
以下、本発明を実施するための形態に関して図を参照しながら説明する。
【実施例１】
【００１５】
図１はＶＴＲ一体型ビデオカメラ本体１（以下本体１）の側面図、図２は本体１の斜視図である。図２において本体１の側面にはメモリーカード収納用の蓋２０を備える。図４は図２の蓋２０の中央で切った断面図である。蓋２０上面には凹形状２１が形成され、凹形状２１に隣接した凹形状１２が本体１に形成される。蓋２０の材質は成型可能な樹脂等あり、変形可能な足部２２を有する。図３は蓋２０を開いた状態の本体斜視図である。図５は図３の状態で蓋２０の中央で切った断面図である。蓋２０を開けることによりメモリーカード４０の着脱が可能となる。図６は図２の蓋２０の中央で切った断面図である。凹形状１２と凹形状２１の空間は少なくともΦ２．５ｍｍの球７０が収納できる容量を備えている。図４の指６０は凹形状１２と凹形状２１により形成される空間に指を掛け、引き出すことより蓋２０を開く。しかし凹形状１２と凹形状２１により形成される空間が十分に大きい為、使用者は指６０の腹部分で凹形状２１に指を掛け、蓋２０を引き出すことが可能であり、またその際も本体１の表面に使用者の爪が当たることも無くなる。
【実施例２】
【００１６】
図２において本体１の側面にはメモリーカード収納用の蓋２０を備え、本体１の上面に撮影時のＺＯＯＭ操作レバー３０を備える。ＺＯＯＭレバー３０は広角から望遠までその焦点距離が連続して変えられるズームレンズを用いて画像の大きさを自由に変化させるレバーである。
【００１７】
図７はＺＯＯＭレバー３０を操作時の断面を示す。使用者はＺＯＯＭレバー３０を軸３１ａを中心にしてａの矢印方向に回動することにより、ＺＯＯＭ操作を行う。図８はＺＯＯＭレバー３０を操作時における使用者のグリップ状態の斜視図である。図９にＺＯＯＭレバー３０から指を離した状態を示す。図１０は図９の断面である。使用者はＺＯＯＭ操作終了後にレバーに触れ続けているばあい、使用者の腕が近くにいる人などに当たり、意図していないのにＺＯＯＭ操作をしてしまう可能性がある。本発明の撮像装置では、図１に示すようにＺＯＯＭレバー３０と凹１２、凹２１がＺＯＯＭレバー３０の操作方向の概ね延長線上位置しており、使用者は指を曲げると、図９、図１０のように凹１２と凹２１の空間に指６０を置くことが出来る。図１０に示すように使用者の爪は本体に触れることが無いため、本体にも爪にも傷をつけることなく撮像装置を確実に把持する事が可能である。
【図面の簡単な説明】
【００１８】
【図１】実施例１における撮像装置の側面図
【図２】実施例１における撮像装置の後方斜視図
【図３】実施例１における撮像装置の後方斜視図（蓋２０開時）
【図４】実施例１における撮像装置の蓋２０部の断面図
【図５】実施例１における撮像装置の蓋２０部の断面図（蓋２０開時）
【図６】実施例１における撮像装置の蓋２０部の断面図
【図７】実施例２における撮像装置の部分断面図（ＺＯＯＭ操作時）
【図８】実施例２における撮像装置の後方斜視図（ＺＯＯＭ操作時）
【図９】実施例２における撮像装置の後方斜視図（ＺＯＯＭレバーから指を離している状態）
【図１０】実施例２における撮像装置の部分断面図（ＺＯＯＭレバーから指を離している状態）
【図１１】従来の撮像装置の後方斜視図
【図１２】従来の撮像装置の後方斜視図（蓋２０開時）
【図１３】従来の撮像装置の部分断面図
【図１４】従来の撮像装置の部分断面図
【図１５】従来の撮像装置の後方斜視図
【図１６】従来の撮像装置の後方斜視図（ＺＯＯＭ操作時）
【図１７】従来の撮像装置の後方斜視図（ＺＯＯＭレバーから指を離している状態）
【図１８】従来の撮像装置の部分断面図
【符号の説明】
【００１９】
１  本体
１１、１２  本体凹部
２０  蓋
２１  蓋凹部
３０  ＺＯＯＭ操作レバー
３１  トリガーボタン
３２、３３  撮影モード切替スイッチ
４０  メモリーカード
６０  指
【図１】
2007173945.tif 000003
【図２】
2007173945.tif 000004
【図３】
2007173945.tif 000005
【図４】
2007173945.tif 000006
【図５】
2007173945.tif 000007
【図６】
2007173945.tif 000008
【図７】
2007173945.tif 000009
【図８】
2007173945.tif 000010
【図９】
2007173945.tif 000011
【図１０】
2007173945.tif 000012
【図１１】
2007173945.tif 000013
【図１２】
2007173945.tif 000014
【図１３】
2007173945.tif 000015
【図１４】
2007173945.tif 000016
【図１５】
2007173945.tif 000017
【図１６】
2007173945.tif 000018
【図１７】
2007173945.tif 000019
【図１８】
2007173945.tif 000020